(57)【要約】  【課題】  保護部材の設定変更操作部を覆う部分のみが開閉可能であり、設定変更操作部を覆う部分が簡単に開放することはなく、遊技者の不正を防止して防犯性を高めることができる遊技機を提供する。  【解決手段】  複数の図柄を可変表示する可変表示装置を設けると共に、特定乱数値が抽出される確率を設定する確率設定変更操作部を設けた遊技機であって、確率設定変更操作部を覆う保護部材８１と、確率設定変更操作部を臨ませるように開口され、保護部材８１の少なくとも確率設定変更操作部を覆う部分に開設された開口部と、保護部材８１に設けられた軌道１１０に沿ってスライド移動することにより、開口部を開閉する開閉扉１０１と、を備え、保護部材８１の開口部近傍には、開閉扉を閉状態に維持して開方向への移動を規制する状態維持機構が形成されている。【選択図】  図４
2006187359.tif 000002
【特許請求の範囲】
【請求項１】
複数の図柄を可変表示する変動表示ゲームを行う可変表示装置を備え、予め設定された確率にて特定乱数値が抽出されると、前記変動表示ゲームの結果態様として特別図柄を前記可変表示装置に表示させて、遊技者に特典を付与する遊技機において、
前記特定乱数値が抽出される確率を予め設定変更する確率設定変更操作部と、
前記確率設定変更操作部を覆って外部からの操作を不能とする閉状態と確率設定変更操作部を外部に臨ませて操作可能とする開状態とに変換可能な開閉扉と、
前記開閉扉をスライド移動させる軌道が形成され、前記確率設定変更操作部を外部に臨ませるように開口部が開口され、この開口部を除いて前記確率設定変更操作部の周囲を覆う保護部材と、
を備え、
前記保護部材の前記開口部近傍には、前記開閉扉の閉状態を維持して開方向への移動を規制する状態維持機構が設けられ、
前記状態維持機構は、
前記開閉扉の内側の面に設けられたカム部と、
前記保護部材側に設けられ、前記カム部に圧接して開閉扉の開方向のスライド移動の抵抗となる付勢摺接部と、
から構成されていることを特徴とする遊技機。
【請求項２】
前記軌道は、前記保護部材に、前記開口部を挟むように並設され、直状の第１スライドガイド片及び第２スライドガイド片が突設された第１の壁部及び第２の壁部からなり、
前記第１スライドガイド片及び第２スライドガイド片には、前記開閉扉の相対向する側部に形成された嵌合凹部がそれぞれ嵌合し、
前記付勢摺接部は、保護部材に形成した可撓片の先端部分に傾斜部として設けられ、前記開閉扉を閉状態から開状態に変換する過程で、前記カム部が前記傾斜部に圧接して可撓片を撓ませ、該傾斜部を越えて前記可撓片の基端部側に移動した状態で前記開閉扉が開状態となるように前記傾斜部を傾斜させたことを特徴とする請求項１に記載の遊技機。
【請求項３】
前記第２の壁部に突設された第２スライドガイド片の長さは、前記第１の壁部に突設された第１スライドガイド片よりも短く設定されるとともに、前記第２の壁部の前記第２スライドガイド片が設けられていない開方向側の壁部にテーパーカット部を形成し、
前記第２の壁部のテーパーカット部に対応する前記開閉扉の嵌合凹部にも、テーパーカット部を形成したことを特徴とする請求項２に記載の遊技機。
【請求項４】
前記第２の壁部のテーパーカット部は、第２の壁部における開方向終端部側に寄せて設けられ、
前記開閉扉の内面の閉方向側端部には、前記可撓片の先端傾斜部端に当接して前記開閉扉の開方向へのスライド移動を規制するストッパを突設し、
前記可撓片の傾斜部端は、前記第２スライドガイド片のテーパーカット部側端部よりも閉方向側に突き出しており、
前記ストッパの突端面を前記可撓片の外面に当接させて該可撓片を内側に撓ませて、前記開閉扉の嵌合凹部を前記第１の壁部及び第２の壁部のスライドガイド片に取り付けるようにしたことを特徴とする請求項３に記載の遊技機。
【発明の詳細な説明】
【技術分野】
【０００１】
本発明は、複数の図柄を可変表示する変動表示ゲームを行なう可変表示装置を備え、予め設定された確率にて特定乱数値が抽出されると、前記変動表示ゲームの結果態様として特別図柄を前記可変表示装置に表示させて、遊技者に特典を付与し、前記特定乱数値が抽出される確率を予め設定変更する確率設定変更操作部を設けた遊技機に関する。
【背景技術】
【０００２】
従来、パチンコ遊技機やスロット遊技機等の遊技機においては、複数の図柄を可変表示する可変表示装置の表示部を前面に臨ませて設け、予め設定された特定乱数値が抽出されると、前記可変表示装置に特別図柄を表示させ、特典として、遊技者に有利な特別遊技状態を発生して賞としての遊技媒体を払い出す遊技機がある。この種の遊技機としては、例えば、特開２０００−１９７７２４号公報に開示された遊技機が挙げられる。この遊技機の裏側には、上記特定乱数値が抽出される確率の設定を変更する確率設定変更操作部が設けられており、この操作部を操作することにより、上記特定乱数値が抽出される確率の設定を変更することができ、遊技店と遊技者との利益の均衡を保っている。
【特許文献１】特開２０００−１９７７２４号公報
【発明の開示】
【発明が解決しようとする課題】
【０００３】
ところで、確率設定変更操作部が遊技者によって不当に操作されたり、遊技店の従業員によるメンテナンス時に不用意に操作されることを防止するために、防犯対策として、上記確率設定変更操作部を保護部材で覆うという方策がとられている。
【０００４】
しかし、上記確率設定変更操作部を保護部材で覆っても、上記特定乱数値が抽出される確率の設定を変更する際には設定変更操作部を操作しなければならないため、保護部材を開閉可能に形成する必要がある。
【０００５】
一方、保護部材を簡単に開放できるように形成してしまうと、防犯性が低下してしまう。
【０００６】
本発明は、上記の事情に鑑みて創案されたものであり、その目的は、特定乱数値が抽出される確率を設定する確率設定変更操作部を覆う部分のみが開閉可能であり、該設定変更操作部を覆う部分が簡単に開放することはなく、不正を未然に防止して防犯性を向上させることができる遊技機を提供しようとするものである。
【課題を解決するための手段】
【０００７】
本発明は上記目的を達成するために提案されたもので、請求項１に記載のものは、複数の図柄を可変表示する変動表示ゲームを行う可変表示装置を備え、予め設定された確率にて特定乱数値が抽出されると、前記変動表示ゲームの結果態様として特別図柄を前記可変表示装置に表示させて、遊技者に特典を付与する遊技機において、
前記特定乱数値が抽出される確率を予め設定変更する確率設定変更操作部と、
前記確率設定変更操作部を覆って外部からの操作を不能とする閉状態と確率設定変更操作部を外部に臨ませて操作可能とする開状態とに変換可能な開閉扉と、
前記開閉扉をスライド移動させる軌道が形成され、前記確率設定変更操作部を外部に臨ませるように開口部が開口され、この開口部を除いて前記確率設定変更操作部の周囲を覆う保護部材と、
を備え、
前記保護部材の前記開口部近傍には、前記開閉扉の閉状態を維持して開方向への移動を規制する状態維持機構が設けられ、
前記状態維持機構は、
前記開閉扉の内側の面に設けられたカム部と、
前記保護部材側に設けられ、前記カム部に圧接して開閉扉の開方向のスライド移動の抵抗となる付勢摺接部と、
から構成されていることを特徴とする遊技機である。
【０００８】
請求項２に記載のものは、前記軌道は、前記保護部材に、前記開口部を挟むように並設され、直状の第１スライドガイド片及び第２スライドガイド片が突設された第１の壁部及び第２の壁部からなり、
前記第１スライドガイド片及び第２スライドガイド片には、前記開閉扉の相対向する側部に形成された嵌合凹部がそれぞれ嵌合し、
前記付勢摺接部は、保護部材に形成した可撓片の先端部分に傾斜部として設けられ、前記開閉扉を閉状態から開状態に変換する過程で、前記カム部が前記傾斜部に圧接して可撓片を撓ませ、該傾斜部を越えて前記可撓片の基端部側に移動した状態で前記開閉扉が開状態となるように前記傾斜部を傾斜させたことを特徴とする請求項１に記載の遊技機である。
【０００９】
請求項３に記載のものは、前記第２の壁部に突設された第２スライドガイド片の長さは、前記第１の壁部に突設された第１スライドガイド片よりも短く設定されるとともに、前記第２の壁部の前記第２スライドガイド片が設けられていない開方向側の壁部にテーパーカット部を形成し、
前記第２の壁部のテーパーカット部に対応する前記開閉扉の嵌合凹部にも、テーパーカット部を形成したことを特徴とする請求項２に記載の遊技機である。
【００１０】
請求項４に記載のものは、前記第２の壁部のテーパーカット部は、第２の壁部における開方向終端部側に寄せて設けられ、
前記開閉扉の内面の閉方向側端部には、前記可撓片の先端傾斜部端に当接して前記開閉扉の開方向へのスライド移動を規制するストッパを突設し、
前記可撓片の傾斜部端は、前記第２スライドガイド片のテーパーカット部側端部よりも閉方向側に突き出しており、
前記ストッパの突端面を前記可撓片の外面に当接させて該可撓片を内側に撓ませて、前記開閉扉の嵌合凹部を前記第１の壁部及び第２の壁部のスライドガイド片に取り付けるようにしたことを特徴とする請求項３に記載の遊技機である。
【発明の効果】
【００１１】
本発明の遊技機によれば、以下のような優れた効果を奏する。
即ち、請求項１に記載の発明によれば、特定乱数値が抽出される確率を設定する確率設定変更操作部を覆う保護部材に、この設定変更操作部を臨ませるように開口部が開口され、この開口部を開閉扉が開閉し、この開閉扉は状態維持機構により閉状態に維持されて、該開閉扉の開方向への移動が規制されるので、前記保護部材の設定変更操作部を覆う部分のみが開閉可能であり、開閉扉が簡単に開放することはない。したがって、遊技者の不正を防止して防犯性を高めることができる。また、状態維持機構は、開閉扉の内側の面に設けられたカム部と、保護部材側に設けられ、前記カム部に圧接して開閉扉の開方向のスライド移動の抵抗となる付勢摺接部とから構成されているので、構造が単純であって確実に機能する。
【００１２】
請求項２に記載の発明によれば、第１の壁部及び第２の壁部のスライドガイド片に嵌合凹部が嵌合して、開閉扉が開口部をスライド開閉可能であり、前記状態維持機構の付勢摺接部は、保護部材に形成した可撓片の先端部分に傾斜部として設けられ、前記開閉扉を閉状態から開状態に変換する過程で、前記カム部が前記傾斜部に圧接して可撓片を撓ませ、該傾斜部を越えて前記可撓片の基端部側に移動した状態で前記開閉扉が開状態となるように前記傾斜部を傾斜させた構成なので、前記設定変更操作部を覆う開閉扉が簡単に開放することはなく、遊技者の不正を確実に防止して防犯性を高めることができる。
【００１３】
請求項３に記載の発明によれば、第１壁部の第１スライドガイド片に開閉扉の一方の嵌合凹部を嵌合させた状態で、第２壁部のテーパーカット部に対して他方の嵌合凹部を係合させて滑らすように押圧挿入することによって、第１壁部及び第２壁部のスライドガイド片に対して、円滑に開閉扉の嵌合凹部を取り付けることができる。
【００１４】
請求項４に記載の発明によれば、開閉扉を取り付ける際に、開閉扉内面のストッパの突端を前記可撓片に当接させて撓ませることにより、嵌合凹部を確実にテーパーカット部を介して第２スライドガイド片に誘導嵌合させることができ、開閉扉を閉方向へとスライドさせて前記設定操作部を覆うことができる。また、開閉扉を閉状態から開方向へとスライドさせる際に、該開閉扉内面のストッパが前記可撓片に当接して該可撓片を撓ませることになるが、前記可撓片の先端傾斜部端は、前記第２スライドガイド片のテーパーカット部側端部よりも前記設定操作部側に突き出しているので、この状態において、開閉扉の嵌合凹部が第２スライドガイド片に確実に嵌合しているので、開閉扉が保護部材から脱落することがない。
【発明を実施するための最良の形態】
【００１５】
以下、本発明を実施するための最良の形態を図面に基づいて説明する。
図１は代表的な遊技機の一種であるスロット遊技機（スロットマシン）を右斜め前方から見た斜視図、図２は前面枠を開いた状態のスロット遊技機の斜視図、図３はスロット遊技機の前面枠の裏面図である。
【００１６】
スロット遊技機１は、数字や図柄等の識別情報を可変表示する可変表示装置４と、この可変表示装置４とホッパー５を内部に設けた筺体２と、この筺体２の前面に開閉可能に取り付けられた遊技枠としての前面枠３と、から概ね構成されている。
【００１７】
筺体２は、前面が開放され、前側縁が傾斜した台形状の左右側面、底面、上面、及び背面からなる箱体であり、上部が後退するように前面の開放部が少し傾斜して形成されている。そして、この筺体２の内部の上半部に可変表示装置４が設けられると共に、下半部に賞メダルを排出するホッパー５が設けられている。
【００１８】
可変表示装置４は、いわゆるドラム式（リール式）であり、図２に示すように、筺体２内の上下略中央に左右方向に架設した支持材６上に、前面が開口したユニットケース７を取り付け、このユニットケース７の内部に、パルスモータの駆動により回転するリール９を立てた状態で３つ横に並べて設け、各リール９の外周に数字や図柄を表示したフィルムを巻装し、また、各リール９の内部には、フィルムを裏側から照らすバックランプを設け、制御装置により各パルスモータを制御して、それぞれ独立して回転又は停止するように構成されている。この可変表示装置４は、フィルムの前方に突出した部分（例えば、識別情報の上下３つ分の範囲）が表示部１１として機能し、この表示部１１が前面枠３の可変表示用開口部１２に臨んでいる。なお、本実施形態では、可変表示装置４として機械的に駆動するドラム式（リール式）のものを装備しているが、例えば、液晶表示装置等の画像表示装置により数字や図柄をソフト的に表示するように構成してもよい。
【００１９】
上記筐体２の左内側縁部には、前面枠３を前面に支持して開閉するためのヒンジ部１３が上下２箇所に取り付けられており、本実施形態では、前面枠３は上部フレーム２１と下部フレーム２２から形成されている。上部フレーム２１の前面側にはプラスチックを射出成型することにより形成された略四角形の装飾部材２３が少し前方に隆出する状態で装着され、その裏面中央には液晶表示装置２４が配設され、その上部の左右両側にスピーカー２５が配設されている。したがって、上記装飾部材２３において、上記スピーカー２５に相当する部位にはスピーカー用開口部２６が開設され、少なくとも液晶表示装置２４の前面部分は表示画像を視認可能な無色又は有色透明のクリア部２７として形成されている。
【００２０】
下部フレーム２２の上半部分には、上記前面枠３の可変表示用開口部１２が開設されており、この可変表示用開口部１２の裏面側にはメインパネルユニット１４が配設されている。メインパネルユニット１４は、図２及び図３に示すように、上記可変表示装置４が臨む開口窓部１５が開設されたメインパネルベース１６と、該メインパネルベース１６の前面に装着され、上記可変表示装置４を視認可能なクリア部１７を有するメインパネル１８と、から構成されている。
【００２１】
このメインパネルユニット１４の下部には、特定乱数値が抽出される確率を設定する確率設定装置の確率設定変更操作部７２が備えられ、この確率設定変更操作部７２の操作により予め設定された確率にて特定乱数値が抽出されると、上記可変表示装置４に特別図柄を表示させて、遊技者に特典、例えば、有利な特別遊技状態を発生するように成っており、上記確率設定装置の確率設定変更操作部７２を操作することにより、特定乱数値が抽出される確率を設定変更しうる。この確率設定装置の確率設定変更操作部７２は、防犯のため開閉扉１０１を備えた保護部材８１により覆われており、その構造については後で詳述する。なお、確率設定装置は、遊技を制御するマイクロコンピュータ構成の遊技制御装置７１に組み込まれており、筐体２内の上部に設置されている。
【００２２】
下部フレーム２２の下半部分の前面側には、プラスチックを射出成型することにより形成された略四角形の装飾部材３１が少し前方に隆出する状態で形成され、その上端面にはクレジット操作部３２と上方へ起立したメダル投入口部材３３が設けられ、前面上部にはスタートスイッチ３４や各リール９に対応する３つのストップスイッチ３５が設けられている。これら操作部の右側には前面枠３を筐体２に固定して施錠するシリンダ錠４１が取り付けられ、中央に長方形状の装飾パネル４２を介して、下端近傍の略中央には賞メダル排出口４３を開設し、その前面側下方に下皿４４を設け、その左側に灰皿４５を設けている。上記装飾パネル４２は、透光性の板であって、例えば、樹木の図柄が施されており、その裏面には、例えば、装飾発光体としての蛍光管が設けられており、その下部の上記賞メダル排出口４３の両側にはスピーカー用開口部４６が開設されている。また、下部フレーム２２の下半部分の裏面には、上部にメダル判別装置５１を有し、メダル判別装置５１が不適切であると判別したメダルを遊技者に戻すべく流下するメダル流路カバー５２が設けられており、上記スピーカー用開口部４６の裏面にはスピーカー５３が設けられている。
【００２３】
そして、本実施形態のスロット遊技機１の一側部（図１では左側部）には、このスロット遊技機１と対にしてカードユニットが併設され、上記メインパネルユニット１４の左下隅部には、メダル貸し操作やカード返却操作を行う操作部５４が設けられている。
【００２４】
次に、上記確率設定変更操作部を覆う開閉扉１０１を備えた保護部材８１の具体的な構造について説明する。図４は開閉扉を備えた保護部材の斜視図、図５は開閉扉を外面側から見た斜視図、図６は開閉扉を内面側から見た斜視図、図７はベース部材の開口部近傍の要部正面図、図８は開閉扉が開状態の保護部材の正面図、図９は開閉扉が閉状態の保護部材の正面図、図１０は図８のＡ−Ａ線矢視断面図、図１１は図８のＢ−Ｂ線矢視断面図、図１２は図９のＣ−Ｃ線矢視断面図、図１３は図９のＤ−Ｄ線矢視断面図である。なお、前面枠３の裏面において、便宜上、スロット遊技機１の後方側を外面、前方側を内面として説明する。
【００２５】
前述したように、前面枠３の裏面のメインパネルユニット１４の下部には、特定乱数値が抽出される確率を設定する確率設定変更操作部７２が設けられ、この確率設定変更操作部７２は開閉扉１０１を備えた保護部材８１により覆われている。
【００２６】
保護部材８１は、透明の合成樹脂材により形成された板状部材であり、少なくとも上記確率設定変更操作部７２を覆う部分には、上記確率設定変更操作部７２を臨ませるように四角形の開口部９１が開設され、この開口部９１を除いてその周囲を覆うように構成されている（図７及び図８参照）。本実施形態では、上記開口部９１は、ベース部材８２の左端部の近傍に開口されている。具体的には、該開口部９１の近傍部分には、長方形の凹室部９２が形成されており、この凹室部９２の左半部分に位置するように、上記開口部９１が開口されている。なお、この保護部材８１は、例えば、ワンタッチ止着具などの止着部材８７により、前面枠３の裏面に取り付けられる。
【００２７】
図７に示すように、上記凹室部９２の上下には、該凹室部９２の長手方向（横方向）に沿って軌道１１０が設けられ、開閉扉１０１は、該軌道１１０に沿ってスライド移動可能に構成され、該開閉扉１０１が左側に位置するときに上記開口部９１を閉じて外部からの操作を不能とする閉状態となり、該開閉扉１０１が右側に位置するときに上記開口部９１を開放して外部からの操作を可能とする開状態となる。上記軌道１１０は、図７，図１０及び図１２に示すように、上記凹室部９２の上下に上記開口部９１を挟むように長手方向に沿って並設された直状の第１の壁部１１１と第２の壁部１１２とからなり、第１の壁部１１１の外端上部には、直状の第１スライドガイド片１１３が上方へ向けて突設されており、第２の壁部１１２の外端下部には、直状の第２スライドガイド片１１４が下方へ向けて突設されている。上記凹室部９２の下部に位置する第２の壁部１１２の下方には、この第２の壁部１１２と所定の間隔を隔てて、該壁部１１２に沿って長手方向（横方向）に延びる縦断面形状がＬ字状の支持壁部１１６が並設されており、この支持壁部１１６は、後述する開閉扉１０１の下面部分を下方から案内支持して、開閉扉１０１の脱離を防止する（図１０及び図１２参照）。
【００２８】
開閉扉１０１は、図５及び図６に示すように、四角形の透明合成樹脂の板材であって、その縦断面形状は縦長なチャンネル材状を呈し、上下の相対向する側部には、コ字状の嵌合凹部１０３、１０４がそれぞれ形成されており、該嵌合凹部１０３，１０４は、図１０及び図１２に示すように、第１スライドガイド片１１３と第２スライドガイド片１１４とにそれぞれ上下から嵌合するように成っている。この開閉扉１０１の外面の左端部（閉方向側端部）には、該開閉扉１０１をスライド開閉する際に指で掴む部分となる把手部１０５が突設されており、該左端部の内面の上下方向中央部には、該開閉扉１０１の開方向へのスライド移動を規制するストッパ１０６が上下方向に沿って突設されている。また、この開閉扉１０１の右端部側（開方向側）内面における上下方向中央部には、該開閉扉１０１を閉状態に維持して開方向への移動を規制する状態維持機構１２１の一部を構成するカム部１２２が横方向に沿って突設されている。
【００２９】
この状態維持機構１２１は、山型状を呈する上記カム部１２２と、開閉扉１０１の開方向側の側方に設けられ、上記開口部９１に臨む先端傾斜部１３２を上記カム部１２２に当接して撓む可撓片１３１と、から構成されている。この可撓片１３１は、前記カム部１２２に圧接して開閉扉１０１の開方向のスライド移動の抵抗となる付勢摺接部として機能するものである。具体的には、図７に示すように、上記凹室部９２の右半部分に位置する閉塞部（床部）９３に、上記開口部９１の右縁部から該凹室部９２の右端部へ向けて２条のスリット１３３を平行に形成することにより、舌片状に形成されており、その先端部には、図１１及び図１３に示すように、該可撓片１３１の外面に形成され、上記確率設定変更操作部７２側に近接するにつれて順次外面側へと厚さ方向外側へ傾斜する傾斜部１３２が形成されている。
【００３０】
なお、本実施形態では、上記凹室部９２に軌道１１０として第１の壁部１１１及び第２の壁部１１２を設け、これら壁部１１１、１１２にスライドガイド片１１３、１１４を突設し、上記開閉扉１０１の上下の相対向する側部に嵌合凹部１０３、１０４を形成しているが、これに限るものではなく、上記実施形態とは反対に、上記軌道１１０側に嵌合凹部を形成すると共に、上記開閉扉１０１側にスライドガイド片を設けてもよい。
【００３１】
次に、以上説明した第１の実施形態のスロット遊技機１の作用を説明する。
上述したように、上記ベース部材８２の凹室部９２における左半部分に、上記確率設定変更操作部７２を臨ませる開口部９１が開設されており、上記凹室部９２の上下にその長手方向（横方向）に沿って第１の壁部１１及び第２の壁部１１２が設けられ、これら壁部１１１、１１２のスライドガイド片１１３、１１４に開閉扉１０１の嵌合凹部１０３、１０４が嵌合することにより、該開閉扉１０１がスライドガイド片１１３、１１４に沿ってスライド移動可能に構成され、該開閉扉１０１が左側に位置するときに上記開口部９１を閉成する閉状態となり、該開閉扉１０１が右側に位置するときに上記開口部９１を開放する開状態となる。
【００３２】
上記スロット遊技機１の通常の使用状態（遊技状態）においては、上記開閉扉１０１は開口部９１を閉成して閉状態と成っており、上記可撓片１３１の傾斜部１３２は、図１３に示すように、開閉扉１０１の右端部側（開方向側）内面に突設された山型状のカム部１２２の開方向側傾斜面１２７に圧接して、該開閉扉１０１を閉状態に維持している。そして、該開閉扉１０１を閉状態から開状態に変換する過程で、山型状のカム部１２２が上記傾斜部１３２に圧接しながら開方向側へ摺動して上記可撓片１３１を内側へと撓ませ、さらに、図１１に示すように、該傾斜部１３２を越えて、山型状のカム部１２２が上記可撓片１３１の基端部に進入着座することにより、開閉扉１０１が開状態となる。この開閉扉１０１の内面に突設したカム部１２２と反対側にはストッパ１０６が突設されており、該ストッパ１０６が上記可撓片１３１の傾斜部１３２に当接することにより、上記開閉扉１０１の開方向へのスライド移動が規制される。そして、この開状態において、上記確率設定変更操作部７２を操作して、特定乱数値が抽出される確率を設定変更することができる。
【００３３】
したがって、開閉扉１０１の開放側内面に形成されたカム部１２２が、舌片状の可撓片１３１の傾斜部１３２に圧接して該可撓片１３１を内側に撓ませて、傾斜部１３２を乗り越えない限り、開閉扉１０１は開状態となり得ないので、上記確率設定変更操作部７２が臨む開口部９１を閉成している開閉扉１０１が簡単に開放することはなく、遊技者の不正を防止して防犯性を高めることができる。
【００３４】
この様に、本実施形態における付勢摺接部は、保護部材に形成した可撓片１３１の先端部分に傾斜部１３２として設けられ、前記開閉扉１０１を閉状態から開状態に変換する過程で、前記カム部１２２が前記傾斜部１３２に圧接して可撓片１３１を撓ませ、該傾斜部１３２を越えて前記可撓片１３１の基端部側に移動した状態で前記開閉扉１０１が開状態となるように傾斜面が形成されている。なお、開閉扉１０１を開方向にスライドさせる際に傾斜部１３２が圧接する傾斜面１２７は角度が急峻であるが、開閉扉１０１を閉方向にスライドさせる際には、傾斜面１２７よりも緩やかな傾斜面１２８に傾斜部１３２が圧接するので、開閉扉１０１を開く際の抵抗力が閉じる際の抵抗力よりも大きくなり、これにより防犯性を一層高めている。
【００３５】
また、本実施形態のスロット遊技機１では、図７に示すように、第２の壁部１１２に突設された第２スライドガイド片１１４の長さが、第１の壁部１１１に突設された第１スライドガイド片１１３よりも短く設定されている。そして、この第２の壁部１１２において、第２スライドガイド片１１４が設けられていない図７において右側部分（開方向側部分）の外面には、該壁部１１２を下縁部分を切り欠くようにテーパーカット部１４１を形成してもよい。また、図１０において開閉扉１０１の下部の嵌合凹部１０４には、テーパーカット部１４１に対応させてテーパーカット部１４２が形成されている。このように、開閉扉１０１の下部の嵌合凹部１０４にテーパーカット部１４２を形成するとともに、嵌合凹部１０４が嵌合する側の第２の壁部１１２にテーパーカット部１４１を形成すると共に、上記下部の嵌合凹部１０４の下面部分を支持する支持壁部１１６にテーパーカット部１４２を形成することにより、上部に位置する第１壁部１１１の第１スライドガイド片１１３にテーパーカットが施されていない側の上部の嵌合凹部１０３を嵌合させた状態で、第２壁部１１２のテーパーカット部１４１に対して下部の嵌合凹部１０４のテーパーカット部１４２を滑らすように押圧挿入することができる。そして、これによって、第１壁部１１１及び第２壁部１１２のスライドガイド片１１３、１１４に対して、開閉扉１０１の嵌合凹部１０３、１０４を円滑に取り付けることができる。
【００３６】
この開閉扉１０１を取り付ける際に、該開閉扉内面のストッパ１０６の突端を上記可撓片１３１の外面に当接させて該可撓片１３１を内側へ撓ませることにより、上記テーパーカット部１４１、１４２側に位置する嵌合凹部１０４を確実に第２スライドガイド片１１４に嵌合させることができ、上記開閉扉１０１を閉方向へとスライド移動させて、上記確率設定変更操作部７２を覆うことができる。
【００３７】
図１４は、第２の実施形態におけるベース部材の開口部近傍の要部正面図である。
前述したように、上記開閉扉１０１の内面の閉方向側（左端部側）には、ストッパ１０６が突設されており、該ストッパ１０６が上記可撓片１３１の傾斜部端１３２に当接することにより、上記開閉扉１０１の開方向へのスライド移動を規制することになる。第２の実施形態では、特に、上記テーパーカット部１４１が、第２の壁部１１２における開方向終端部側に寄せて設けられ、加えて、上記可撓片１３１の傾斜部端１３２は、第２スライドガイド片１１４のテーパーカット部側端部よりも間隔Ｓだけ上記確率設定変更操作部７２側に突き出して形成されている。
【００３８】
したがって、本実施形態によれば、基本的には第１の実施形態と同様の作用効果を奏するが、特に第２の実施形態では、上記開閉扉１０１を開方向へとスライド移動させるに際して、該開閉扉内面のストッパ１０６が上記可撓片１３１の外面に当接して、この可撓片１３１を内側へ撓ませることになる。そして、上記可撓片１３１の傾斜部端１３２は、上記第２スライドガイド片１１４のテーパーカット部側端部よりも上記確率設定変更操作部７２側（閉方向側）に突き出しているので、この状態においては、開閉扉１０１の下部の嵌合凹部１０４が第２スライドガイド片１１４に確実に嵌合し、開閉扉１０１がベース部材８２から脱落することがない。
【００３９】
なお、上記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００４０】
【図１】スロット遊技機を右斜め前方から見た斜視図である。
【図２】前面枠を開いた状態のスロット遊技機の斜視図である。
【図３】スロット遊技機の前面枠の裏面図である。
【図４】開閉扉を備えた保護部材の斜視図である。
【図５】開閉扉を外面側から見た斜視図である。
【図６】開閉扉を内面側から見た斜視図である。
【図７】ベース部材の開口部近傍の要部正面図である。
【図８】開閉扉が開状態の保護部材の正面図である。
【図９】開閉扉が閉状態の保護部材の正面図である。
【図１０】図８のＡ−Ａ線矢視断面図である。
【図１１】図８のＢ−Ｂ線矢視断面図である。
【図１２】図９のＣ−Ｃ線矢視断面図である。
【図１３】図９のＤ−Ｄ線矢視断面図である。
【図１４】第２の実施形態におけるベース部材の開口部近傍の要部正面図である。
【符号の説明】
【００４１】
１  スロット遊技機
２  筐体
３  前面枠
４  可変表示装置
７２  確率設定変更操作部
８１  保護部材
８２  ベース部材
１０１  開閉扉
１０３、１０４  嵌合凹部
１１０  軌道
１１１  第１の壁部
１１２  第２の壁部
１１３  第１スライドガイド片
１１４  第２スライドガイド片
１１６  支持壁部
１２１  状態維持機構
１２２  カム部
１３１  可撓片
１３２  傾斜部
【図１】
2006187359.tif 000003
【図２】
2006187359.tif 000004
【図３】
2006187359.tif 000005
【図４】
2006187359.tif 000006
【図５】
2006187359.tif 000007
【図６】
2006187359.tif 000008
【図７】
2006187359.tif 000009
【図８】
2006187359.tif 000010
【図９】
2006187359.tif 000011
【図１０】
2006187359.tif 000012
【図１１】
2006187359.tif 000013
【図１２】
2006187359.tif 000014
【図１３】
2006187359.tif 000015
【図１４】
2006187359.tif 000016